(57)【要約】      （修正有）【課題】風力発電は日本で開発された物は少ないため国民１人１人になじみが薄く関心を持たなく、そんな中での電力問題、資源を持たない日本で、急務なのは、やはり風力発電では、ないでしょうか、風力発電の生産量は全体の１％にもみたないのが、現実なのです。そこで、本装置でこれらの問題を解決するものである。【解決手段】本発明は有風状態でも、無風状態であっても、風力発電機としての機能を成す、装置で、どこでも、どんな場所でも、設置可能な３６０度、どの方向からでも、風を受ける、ことが出来る、垂直回転型で、１個の核からなり、その１個の核が５個で、風力発電機として、協力し合い、３６５日、回転し続ける装置で、小型は家庭用から中大型はビル、デパート用等、で送電線も無用でふるさとから都会まで、多方面に他用途に利用出来る装置で、この風力発電装置が問題点を解決する。【選択図】図１
2005120828.tif 000002
【特許請求の範囲】
【請求項１】
本発明は有風状態であっても、無風状態であっても、風力発電機としての、機能を成す、装置で、どこでも、どんな場所にでも設置可能な装置であり、本装置は３６０度、どの方向からでも風を受ける、ことのできる、垂直回転型で１個の核からなり、その１個の核が５個で風力発電装置として効を成す、３６５日、回転し続ける、風力発電機装置である。
【請求項２】
本装置の大小、設置場所の環境等によって次の中のいずれか▲１▼ギヤー▲２▼Ｖベルト▲３▼アルベルト▲４▼チェーン等を使い、１個の核を作る、１個の核は垂直回転型用の４枚羽根と４枚の円盤、９本のシャフト軸と４本の軸棒、９本のシャフト軸には▲１▼〜▲４▼のいずれかを取り付ける、この９本のシャフト軸のうち、５本のシャフト軸の位置はセンターには、センター軸、そこから９０度分割した方向に各１個を据える、ここまでは、１枚目の円盤と２枚目の間の層の１層の中に入る、４本目のシャフト軸は、１枚目の円盤から４枚目の円盤まで通しである。
【請求項３】
３枚目の円盤と４枚目の円盤の間の３の層の中においては、４本目の通しシャフト軸以外の４本のシャフト軸は１の層の１の下は６として２の下は７、３の下・８、５の下は９として入り、４本目の通しシャフト軸から回転を受け、６、７、８の順に回転数を上げながら、センター軸の９に伝えるそれを発電機装置に伝える。垂直型の４枚羽根が受ける弱い風力であっても、１個の核の中の層、１の層が何倍にも回転数を上げ、それを２の層を通り、３の層では、さらに、発電機の必要回転数迄上げる、これで４枚羽根の回転音も少なくなり、４枚羽根以外は密閉にし、これを５個作る。
【請求項４】
この５個の核を、次のように並べることによって風力発電機装置が成る、まず、センターに１個、そこから９０度分割方向に各１個を設置する。センター核は独自用の蓄電装置を持ち、有風時は５個とも、風力で回転し４個の核は、発電機装置の方に、センター核は独自の装置に蓄電する、無風の時は独自の装置で回転して風を起して、他の４個の核を回転させる。有風状態であっても、無風状態であっても、３６５日、風力発電機としての役をなす、これが本発明の風力発電機装置の基である。
【発明の詳細な説明】
【発明の詳細な説明】
【発明が属する技術分野】
【０００１】  本発明は有風状態であっても、無風状態であっても、風力発電機としての機能を成す、装置である、風力発電機装置に関する。
【背景技術】
【０００２】  従来の風力発電は、世界的には、かなり古い歴史があり、現在においても、開発に盛んな国もかなり、かつ大多数国あり、数においても、１５０万台余りが、稼動中とのこと、日本においては、３５０台位は、稼動中とか、また開発中の物もあり、そこには、洋上用なる物等、などですが、現状では開発された物が少なく、輸入された物をそのまま、稼動している。小型においては、輸入販売や、輸入した、物を改良して、製造販売している、数３，０００を越えるとか、会社の数も２０数社とか、でもやっぱり日本での開発された物は少ないのが現実です。
【発明が解決しようとする課題】
【０００３】  資源問題を含めた電力問題、我が国日本にはこれと言った、資源も皆無の状態であり輸入にたよる一方、現在稼動している、原子力発電と言う物に対する不信感、ガス、石油等の輸入問題、何ひとつとっても明るい先が見えない。ソーラー関係においても、日照問題で東北、北海道方面は効果が少ない、ゆいいつ、日本にもあって、世界の国々とも繋がって共有できる、それは風です、ただ、風力発電は日本で開発された物は少く、国民１人１人になじみが薄く関心を持たない、需要量の増える一方での中で風力発電の生みだす量は１％以下の現実です。これらが問題である。
【課題を解決するための手段】
【０００４】  上記の諸問題を解決するため本発明は有風状態でも無風状態であっても、風力発電機としての機能を成す装置で、どこでも、どんな場所でも設置可能な装置であり、本装置は３６０度どの方向からでも風を受けることが出来る垂直回転型で１個の核かくからなり、その１個の核が５個で風力発電機としての装置になる、有風状態であって無風状態であっても、３６５日、回転し続ける装置である、小型は家庭用から中型大型はビル、デパート用等、送電線無用で、ふるさとから都会まで多用途に多方面に利用出来る装置で、この風力発電機装置が問題点を解決している。
【発明を実施するための最良の形態】
【０００５】  本発明は垂直回転型で３６０度どの方向からでも風を受けることが出来る、５個の核からなり、１個の核はセンターに据えそこから９０度、分割の方向に各１個据える、各核の頭には、垂直回転型の４枚羽根が付いている、センターの核には、独自用の蓄電装置がしてあり、有風の時は５個の核とも自然の形で回転し、電気を起こし、無風の時はセンターの核が、独自用の蓄電装置で回転して、風を起して他の４個の核を回転させて電気を起す、センターの核は他の４個の核とは回転が逆である。
【実施例】
【０００６】  実施例について図面を参照して説明をすると、図１、２、３とも本装置の基である、１個の核について図をもって説明をしているものである、図１において本装置の１個の核を真上から見た図で、この１枚目の円盤状の数字を見ながら図２、図３と進めて行く、まず図１で見る主軸の▲５▼のセンター軸に、垂直型の４枚羽根を乗せて回転させる、その回転を▲１▼に伝える、そして▲２▼▲３▼と順を追って回転数を上げながら▲４▼に伝える、これを図２の１層の中で行われている、▲４▼のシャフト軸は通しである、▲４▼のシャフト軸から回転を図２の３層の各シャフト軸は（１層の１、２、３、５）の下向にある、６、７、８通って、回転数を上げながら９のシャフト軸に伝え、さらに、発電機装置に伝える、弱い風力であっても、１個の核の中で１の層２の層、と重ね合う中で回転数を上げる事で、羽根等から起きる騒音も無くなる、また、風速２５ｍ／ｓ．以上、台風の接近等で壊れて飛んで来るのでは、とか、見た目の環境等、これらを装置全体を包囲することで、すべての問題を解決する。【０００７】  図３については、図２の１、２、３の層の中にあるべき、各部品のそれぞれの位置等を示す、数字の並びについては、▲１▼▲５▼▲３▼が重なりあうため、センター軸を正面にし、▲１▼を右にそして▲２▼へ▲３▼はセンター軸の陰になるため左へ▲４▼はその左へ、プリーの大小、位置等はそれぞれのパターンによって変わる。【０００８】  図４、５については、５個の核について説明をしているもので、図４については、各核の配列は持ちば、役割、相互関係をこの図に表わしている、センター核のＡは独自用の蓄電装置がしてあり、有風の時はまわりの４個の核に引っ張られながら自然のかたちで回転し発電する、無風の時はＡが独自用装置で回転して風を起して、他の４個の核を回転させて、発電させる。図５については設置状態にして横から見る図であるが、装置の大小、設置場所等によって形が変って来るのでこれはベストではない、Ａ、Ｄ、はここでは見ないが図４と同じである、Ａの回転は他の４個の核とは、逆である。
【発明の効果】
【０００９】  本発明は以上説明したような形態で実施され以下に記載されるような効果をなしている。本装置は垂直回転型の装置で、３６０度どの方向からでも風を受けどこでも、どんな場所にでも設置でき、有風でも、無風でも、３６５日、回転し続ける送電線のいらない、都会型の風力発電機である。これを本発明の風力発電装置と言う形で効をなしている。
【図面の簡単な説明】
【００１０】
【図１】  本発明の無風発電機装置の基である、１個の核を上方から実施例で示す平面図である。
【図２】  本装置の１個の核の中を実施例で示す縦断図面である。
【図３】  本装置の１個の核の中を拡大し配列等を実施例で示す縦断断面図である。
【図４】  本装置の５個の核の配列等、発電機としての総合価値を実施例で示す平面図である。
【図５】  本装置を設置状態を実施例で示す縦断図面である。
【符号の説明】
【００１１】１．円盤
２．シャフト軸
３．軸棒
４．層
５．垂直型の４枚羽根
【図１】
2005120828.tif 000003
【図２】
2005120828.tif 000004
【図３】
2005120828.tif 000005
【図４】
2005120828.tif 000006
【図５】
2005120828.tif 000007